(57)【要約】【課題】  車載ハンズフリー装置において、携帯電話機毎に電話帳データの管理ができるようにする。【解決手段】  電話番号データ、および携帯電話機の識別データを含む電話帳データを記憶するフラッシュメモリ７を備えた車載ハンズフリー装置は、接続の対象となる携帯電話機の識別データを特定し（ステップ３１０）、フラッシュメモリに記憶された複数の電話帳データのうち、この特定した識別データに対応するものを選択して読み出し（ステップ３２０）、選択した電話帳データの内容を操作装置に選択可能に表示させ（ステップ３３０）、表示したもののうちの１つがユーザによって選択されると、その電話番号に電話発信を行う（ステップ３４０、３５０）。【選択図】 図４
2006060293.tif 000002
【特許請求の範囲】
【請求項１】
携帯電話機と接続する接続手段と、
前記接続手段による接続の対象となる携帯電話機の識別データを特定する特定手段と、
記憶媒体に記憶され、電話番号データを含む、複数の電話帳データのうち、前記特定手段が特定した識別データに対応するものを選択する選択手段と、
前記選択手段が選択した電話帳データに含まれる電話番号データを表示する表示手段と、を備えた電話番号データ表示装置。
【請求項２】
電話番号データの入力を受け付ける受付手段と、
前記受付手段が受け付けた電話番号データに対応する携帯電話機の識別データを取得する識別データ取得手段と、
前記受付手段が受け付けた電話番号データを含む電話帳データを、前記識別データ取得手段が取得した識別データとの対応がつくように記憶媒体に記憶させる記憶制御手段と、を備えた請求項１に記載の電話番号データ表示装置。
【請求項３】
電話番号データの入力を受け付ける受付手段と、
前記受付手段が受け付けた電話番号データに対応する携帯電話機の識別データを取得する識別データ取得手段と、
前記受付手段が受け付けた電話番号データを含む電話帳データを、前記識別データ取得手段が取得した識別データとの対応がつくように記憶媒体に記憶させる記憶制御手段と、を備えた電話番号データ登録装置。
【発明の詳細な説明】
【技術分野】
【０００１】
本発明は、電話帳データ表示装置および電話帳データ登録装置に関し、車載ハンズフリー装置に用いて好適である。
【背景技術】
【０００２】
現在、登録された携帯電話機と接続してハンズフリー機能を実現するハンズフリー装置が広く使用されている。
【０００３】
このハンズフリー装置には、接続された携帯電話機を用いて電話をかける際に、ハンズフリー装置内に記憶された電話番号データを表示させる機能を有するものがある。また、ユーザの入力や接続先の携帯電話機から電話番号データの入力を受け、それを自身の電話帳データに登録する機能を有するハンズフリー装置もある。
【発明の開示】
【発明が解決しようとする課題】
【０００４】
しかし、登録された携帯電話機が複数ある場合、どの携帯電話機がハンズフリー装置に接続されても、表示、登録の対象となる電話帳データは同じとなっていたので、ある登録された携帯電話機のユーザの電話番号情報が、他の登録された携帯電話機のユーザに漏れてしまう等の不都合が発生する場合があった。
【０００５】
本発明は上記点に鑑み、例えばハンズフリー装置のような、電話番号データ表示や登録を行う装置において、携帯電話機毎に電話帳データの管理ができるようにすることを目的とする。
【課題を解決するための手段】
【０００６】
上記目的を達成するための請求項１に記載の発明は、携帯電話機と接続する接続手段と、前記接続手段による接続の対象となる携帯電話機の識別データを特定する特定手段と、
記憶媒体に記憶され、電話番号データを含む、複数の電話帳データのうち、前記特定手段が特定した識別データに対応するものを選択する選択手段と、前記選択手段が選択した電話帳データに含まれる電話番号データを表示する表示手段と、を備えた電話番号データ表示装置である。
【０００７】
このように、電話番号データ表示装置は、接続対象の携帯電話機の識別データを特定し、複数の電話帳データのうち、その識別データに対応するものを選択し、その電話帳データに含まれる電話番号データを表示するので、携帯電話機に基づいた電話帳データの内容の表示が行えるようになり、携帯電話機毎の電話帳データの管理が可能となる。
【０００８】
また、請求項２に記載の発明は、請求項１に記載の電話番号データ表示装置において、電話番号データの入力を受け付ける受付手段と、前記受付手段が受け付けた電話番号データに対応する携帯電話機の識別データを取得する識別データ取得手段と、前記受付手段が受け付けた電話番号データを含む電話帳データを、前記識別データ取得手段が取得した識別データとの対応がつくように記憶媒体に記憶させる記憶制御手段と、を備えたことを特徴とする。
【０００９】
このようになっているので、電話番号データ表示装置は、受け付けた電話番号データに対応する携帯電話機の識別データを取得し、その電話番号データを含む電話帳データを、その識別データとの対応がつくように記憶媒体に記憶させるので、携帯電話機に基づいた電話帳データの登録が可能となる。
【００１０】
また、請求項３に記載の発明は、電話番号データの入力を受け付ける受付手段と、前記受付手段が受け付けた電話番号データに対応する携帯電話機の識別データを取得する識別データ取得手段と、前記受付手段が受け付けた電話番号データを含む電話帳データを、前記識別データ取得手段が取得した識別データとの対応がつくように記憶媒体に記憶させる記憶制御手段と、を備えた電話番号データ登録装置である。
【００１１】
このように、電話番号データ登録装置は、受け付けた電話番号データに対応する携帯電話機の識別データを取得し、その電話番号データを含む電話帳データを、その識別データとの対応がつくように記憶媒体に記憶させるので、携帯電話機に基づいた電話帳データの登録が行われるようになり、携帯電話機毎の電話長データの管理が可能となる。
【発明を実施するための最良の形態】
【００１２】
以下、本発明の一実施形態について説明する。図１に、本実施形態に係わる車載ハンズフリー装置１のハードウェア構成を示す。車載ハンズフリー装置１は、表示装置２、操作装置３、マイク４、スピーカ５、Ｂｌｕｅｔｏｏｔｈデバイス６、フラッシュメモリ７、ＲＡＭ８、ＲＯＭ９、アンテナ１０およびＣＰＵ１１を有している。
【００１３】
表示装置２は、ＣＰＵ１１から入力された文字データ等の表示を行う画像表示装置から成る。
【００１４】
操作装置３は、メカニカルスイッチ等の、ユーザが操作可能な装置を有し、これに対するユーザの操作に基づいた信号をＣＰＵ１１に出力する。
【００１５】
マイク４は、ユーザの発した音声を音声信号に変換してＣＰＵ１１に出力する。
【００１６】
スピーカ５は、ＣＰＵ１１から入力された音声信号を音声として出力する。
【００１７】
Ｂｌｕｅｔｏｏｔｈデバイス６は、アンテナ１０から受けた信号に対して、Ｂｌｕｅｔｏｏｔｈの規格に従った所定の周波数変換、復調、増幅、Ａ／Ｄ変換等を行い、その結果のデータをＣＰＵ１１に出力し、またＣＰＵ１１から受けたデータに対して、Ｂｌｕｅｔｏｏｔｈの規格に従った所定のＤ／Ａ変換、増幅、変調、周波数変換等を行い、その結果のデータをアンテナ１０に出力する。本実施携帯においては、Ｂｌｕｅｔｏｏｔｈデバイス６は、複数の携帯電話機２１〜２４と接続して通信するようになっている。
【００１８】
フラッシュメモリ７は、書き換え可能な不揮発性の記憶媒体である。本実施形態においては、フラッシュメモリ７は、複数の電話帳データ７１〜７４等を有している。電話帳データは、後述する携帯電話機の識別データおよび１つ以上の電話番号データ、を含んでいる。電話番号データは、電話番号情報およびその電話番号を有する通話先の名称等の付加情報を有するデータである。なお、このフラッシュメモリ７に替えて、書き換え可能な不揮発性メモリや、揮発メモリを用いてもよい。バックアップ電源回路を備えた、又は併用した揮発性メモリの場合は、電源供給なしでも情報が保持されるため、さらに利便性が向上する。
【００１９】
ＣＰＵ１１は、ＲＯＭ９から作動のためのプログラムを読み出して実行し、その実行の際にはフラッシュメモリ７、ＲＡＭ８にデータを書き込み、またフラッシュメモリ７、ＲＡＭ８、ＲＯＭ９からデータを読み出す。またＣＰＵ１１は、その作動において、操作装置３、マイク４およびＢｌｕｅｔｏｏｔｈデバイス６から信号の入力を受け、また必要に応じてスピーカ５およびＢｌｕｅｔｏｏｔｈデバイス６に信号を出力する。
【００２０】
なお、車載ハンズフリー装置１とＢｌｕｅｔｏｏｔｈ接続する携帯電話機２１〜２４は、通常の携帯電話機の機能に加えて、Ｂｌｕｅｔｏｏｔｈによって車載ハンズフリー装置１のＢｌｕｅｔｏｏｔｈデバイス６と通信する機能、その通信において識別データ、電話番号データの要求を受けると、その要求に応じたデータを返送する機能等を有している。
【００２１】
次に、ＣＰＵ１１の作動について説明する。ＣＰＵ１１は、携帯電話機２１〜２４の登録処理、登録された携帯電話機２１〜２４とのＢｌｕｅｔｏｏｔｈ接続処理、電話発信処理等の処理を行う。
【００２２】
図２に、この登録処理１００のフローチャートを示す。ＣＰＵ１１は、携帯電話機の登録を行う旨の、ユーザによる操作装置３を用いた操作を検出すると、この処理を開始する。
【００２３】
まずステップ１１０で、携帯電話機の登録を行う。具体的には、Ｂｌｕｅｔｏｏｔｈデバイス６を用いて、現在通信可能範囲内にある携帯電話機とＢｌｕｅｔｏｏｔｈ接続を行い、その携帯電話機に対して、ＢＴアドレス、電話番号、携帯電話機種名（Ｂｌｕｅｔｏｏｔｈデバイス名称）等の、各携帯電話機を識別するための識別データを送信するよう要求する。そして、Ｂｌｕｅｔｏｏｔｈデバイス６を介してその携帯電話機から応答としての識別データを受信すると、その識別データを、フラッシュメモリ７の所定の領域に確保された登録携帯電話機リストに記録する。
【００２４】
続いてステップ１２０では、登録した携帯電話機の、電話帳データ用の識別情報を取得する。これは、電話帳データ用の識別データを携帯電話機登録用の識別データと同じものとする場合は、直前に上記の登録携帯電話機リストに記録したデータを読み出すことで実現される。また、電話帳データ用の識別データを携帯電話機登録用の識別データと異なるものとする場合は、別途接続先の携帯電話機にその電話帳データ用の識別データを要求する信号を、Ｂｌｕｅｔｏｏｔｈデバイス６を用いて送信し、携帯電話機からの応答を、Ｂｌｕｅｔｏｏｔｈデバイス６を介して受信することで、この取得処理を実現できる。
【００２５】
続いてステップ１３０では、電話番号データのリストを取得する。具体的には、接続先の携帯電話機に電話帳データのリストを要求する信号を、Ｂｌｕｅｔｏｏｔｈデバイス６を用いて送信する。そして、その応答として当該携帯電話機から送信された電話帳データを、Ｂｌｕｅｔｏｏｔｈデバイス６を介して受信する。
【００２６】
続いてステップ１４０では、ステップ１２０で取得した携帯電話機の識別データを、ステップ１３０で取得した電話番号データのリストと対応づけてフラッシュメモリ７に記録する。具体的には、取得した電話番号リスト、および取得した識別データとから成る電話帳データをフラッシュメモリ７に記録する。その後ＣＰＵ１１は登録処理１００を終了する。
【００２７】
次に、図３に、接続処理２００のフローチャートを示す。ＣＰＵ１１は、登録した携帯電話機をＢｌｕｅｔｏｏｔｈ接続する旨の、ユーザによる操作装置３を用いた操作を検出すると、この処理を開始する。
【００２８】
まずステップ２１０で、登録している携帯電話機の表示制御および選択受付を行う。具体的には、フラッシュメモリ７の登録携帯電話機リストに記憶された識別データを読み出し、この識別データの表示のための信号を表示装置２に出力する。そして更に、表示させた識別データのうちの１つを選択する旨の、ユーザによる操作装置３を用いた操作を待ち、その操作を検出すると、続いてステップ２２０を実行する。
【００２９】
ステップ２２０では、選択された携帯電話機を呼び出す。具体的には、ステップ２２０で選択された携帯電話機を呼び出す信号を、Ｂｌｕｅｔｏｏｔｈデバイス６を用いて送信する。この携帯電話機を呼び出す信号には、ステップ２２０で選択された携帯電話機の識別データが含まれている。
【００３０】
続いてステップ２３０で、その呼び出し信号に対する応答を当該携帯電話機から受けたか否かを判定し、受けるまでステップ２２０の呼び出しおよびこのステップ２３０の判定を繰り返す。なお、応答を受けたか否かは、当該携帯電話機の識別データを含む信号を、Ｂｌｕｅｔｏｏｔｈデバイス６を介して受信したか否かで判定する。
【００３１】
そして、応答を受けた場合、続いてステップ２４０で、選択された携帯電話機とＢｌｕｅｔｏｏｔｈ接続のための周知のデータのやりとりを行う。
【００３２】
Ｂｌｕｅｔｏｏｔｈ接続が実現すると、続いてステップ２５０で、その接続先の携帯電話機の識別データを、接続中携帯電話機データとして、ＲＡＭ８の所定の領域に記録する。そしてその後、このＢｌｕｅｔｏｏｔｈ接続を保ったまま、接続処理２００の処理を終了する。
【００３３】
ステップ２１０から２４０までは、既に保持されている登録携帯電話機リストと自動的照合し、携帯電話機を特定する場合もある。
【００３４】
次に、図４に、発信処理３００のフローチャートを示す。ＣＰＵ１１は、車載ハンズフリー装置１を用い電話をかける旨の、ユーザによる操作装置３を用いた操作を検出すると、この処理を開始する。
【００３５】
まずステップ３１０で、現在接続中の携帯電話機の識別データを読み出す。具体的には、ＲＡＭ８中の接続中携帯電話機データを読み出す。
【００３６】
続いてステップ３２０で、対応する電話帳データを読み出す。具体的には、ステップ３１０で読み出した識別データと同じ識別データを含む電話帳データを、フラッシュメモリ７から検索し、検索の結果見つかった電話帳データの内容を読み出す。
【００３７】
続いてステップ３３０で、電話番号データの表示を行う。具体的には、ステップ３２０で読み出した電話帳データに含まれる電話番号データの全てまたは一部を表示するための信号を、操作装置３に出力する。
【００３８】
続いてステップ３４０で、ユーザによる電話番号の選択を受け付ける。具体的には、ステップ３３０で表示させた電話番号データのうちの１つを選択する旨の、ユーザによる操作装置３の操作を待ち、その操作を検出すると、続いてステップ３５０の処理を実行する。
【００３９】
ステップ３５０では、発信を行う。具体的には、ステップ３４０で特定された電話番号データに含まれる電話番号に対して電話をかけるよう指示する信号を、Ｂｌｕｅｔｏｏｔｈデバイス６を用いて携帯電話機に送信する。そしてその後、発信処理３００の処理は終了する。
【００４０】
発信処理３００の処理の終了後、その電話をかけるよう指示する信号を受けた携帯電話機は、その電話番号に対して電話をかけ、電話相手が応答すると、応答があった旨の信号を車載ハンズフリー装置１に送信する。
【００４１】
そして、車載ハンズフリー装置１のＣＰＵ１１は、その応答があった旨の信号をＢｌｕｅｔｏｏｔｈデバイス６を介して受信すると、周知のハンズフリー機能を実現する処理を行う。
【００４２】
この通話中、携帯電話機は、通話相手から受信した音声データを車載ハンズフリー装置１に送信する。そして、車載ハンズフリー装置１のＣＰＵ１１は、Ｂｌｕｅｔｏｏｔｈデバイス６を用いて、携帯電話機から受けた通話相手からの音声データを受信し、この受信したデータをスピーカ５に出力する。これによって、スピーカ５から通話相手の音声が出力される。
【００４３】
またこの通話中、ＣＰＵ１１１は、マイク４が受けたユーザの音声信号を受け、この受けた音声信号に係るデータを、通話相手への送信用音声データとして、Ｂｌｕｅｔｏｏｔｈデバイス６を用いて携帯電話機へ送信する。そして表示装置２は、受信した送信用音声データを通話相手宛に送信する。
【００４４】
このような、車載ハンズフリー装置１と携帯電話機の作動により、ユーザは、携帯電話機による通話を、ハンズフリー装置１のマイク４およびスピーカ５を用いて行うことができる。
【００４５】
以上のような処理をＣＰＵ１１が行うことで、電話番号データ、および携帯電話機の識別データを含む電話帳データを記憶するフラッシュメモリ７を備えた車載ハンズフリー装置１は、接続の対象となる携帯電話機の識別データを特定し（発信処理３００のステップ３１０参照）、フラッシュメモリ７に記憶された複数の電話帳データのうち、この特定した識別データに対応するものを選択して読み出し（ステップ３２０参照）、選択した電話帳データの内容を操作装置３に選択可能に表示させ（ステップ３３０参照）、表示したもののうちの１つがユーザによって選択されると、その電話番号に電話発信を行う（ステップ３５０参照）。
【００４６】
このように、車載ハンズフリー装置１は、接続対象の携帯電話機の識別データを特定し、複数の電話帳データのうち、その識別データに対応するものを選択し、その電話帳データに含まれる電話番号データを表示するので、携帯電話機に基づいた電話帳データの内容の表示が行えるようになり、携帯電話機毎の電話帳データの管理が可能となる。そして、携帯電話を接続したときのみ、その携帯電話に対応する電話帳が表示されるようになるので、電話帳データの秘匿性が向上する。
【００４７】
また車載ハンズフリー装置１は、電話番号データの入力を携帯電話から受け付け（登録処理１００のステップ１３０参照）、受け付けた電話番号データに対応する携帯電話機の識別データを、接続対象の携帯電話機から取得し（ステップ１１０、１２０参照）、その受け付けた電話番号データを含む電話帳データを、取得した識別データとの対応がつくようにフラッシュメモリ７に記憶させる。
【００４８】
このように、車載ハンズフリー装置１は、受け付けた電話番号データに対応する携帯電話機の識別データを取得し、その電話番号データを含む電話帳データを、その識別データとの対応がつくように記憶媒体に記憶させるので、携帯電話機に基づいた電話帳データの登録が行われるようになり、携帯電話機毎の電話長データの管理が可能となる。
【００４９】
なお、上記の実施形態において、車載ハンズフリー装置１が、電話番号データ表示装置および電話番号データ登録装置に相当する。
【００５０】
また、Ｂｌｕｅｔｏｏｔｈデバイス６が、接続手段に相当し、表示装置２が、表示手段に相当する。
【００５１】
また、ＣＰＵ１１が、発信処理３００のステップ３１０を実行することで、特定手段として機能する。
【００５２】
また、ＣＰＵ１１が、発信処理３００のステップ３２０を実行することで、選択手段として機能する。
【００５３】
また、ＣＰＵ１１が、登録処理１００のステップ１３０を実行することで、受付手段として機能する。
【００５４】
また、ＣＰＵ１１が、登録処理１００のステップ１２０を実行することで、識別データ取得手段として機能する。
【００５５】
また、ＣＰＵ１１が、アンテナ１０のステップ１４０を実行することで、記憶制御手段として機能する。
【００５６】
また、上記の実施形態においては、電話番号データは、携帯電話機から取得するようになっているが、必ずしもこのようになっていなくともよい。例えば、電話番号データは、操作装置３を用いたユーザによる入力を受けることで取得してもよい。この場合、その受けた電話番号データに対応する識別番号は、現在接続中の携帯電話機の識別番号としてもよい。
【００５７】
また、上記の実施形態においては、電話帳データが含む電話番号データは１つ以上となっているが、電話帳データが含む電話番号データは最大１つであってもよい。この場合、フラッシュメモリ７には、電話番号データと携帯電話の識別データとの組から成るデータのリストを有することになる。
【００５８】
また、上記の実施形態においては、電話帳データに、携帯電話の識別データが含まれるようになっているが、必ずしもこのようになっておらずともよい。例えば、フラッシュメモリ７中に、電話帳データとは別に、携帯電話の識別番号と電話帳データとの対応関係を示すテーブルが含まれているようになっていてもよい。すなわち、電話帳データは、携帯電話の識別データとの対応がつくように記憶媒体に記憶されていれば足りる。
【図面の簡単な説明】
【００５９】
【図１】本発明の実施形態に係る車載ハンズフリー装置１の構成を示す図である。
【図２】ＣＰＵ９の実行する携帯電話機登録の処理１００を示すフローチャートである。
【図３】ＣＰＵ９の実行する携帯電話機との接続の処理２００を示すフローチャートである。
【図４】ＣＰＵ９の実行する電話発信の処理３００を示すフローチャートである。
【符号の説明】
【００６０】
１…車載ハンズフリー装置、２…表示装置、３…操作装置、４…マイク、
５…スピーカ、６…Ｂｌｕｅｔｏｏｔｈデバイス、７…フラッシュメモリ、
８…ＲＡＭ、９…ＲＯＭ、１０…アンテナ、１１…ＣＰＵ、２１〜２４…携帯電話機、
７１〜７４…電話帳データ、１００…登録処理、２００…接続処理、
３００…発信処理。
【図１】
2006060293.tif 000003
【図２】
2006060293.tif 000004
【図３】
2006060293.tif 000005
【図４】
2006060293.tif 000006